(57)【要約】【課題】患部の画像を特定するための患者情報との対応付けにおける人為的なミスの発生を未然に防止するとともに、作業者の負担を軽減する。【解決手段】患者の患部を撮影する撮影手段９と、患者に取り付け、または患者の近傍に配置された近距離無線送信手段によって送信される患者情報を受信可能な近距離無線受信手段１７と、該近距離無線受信手段１７によって受信された患者情報と、撮影手段９によって撮影された患部の画像情報とを関連付けて記録する記録手段１４とを備える医療用撮影装置１を提供する。【選択図】  図２
2004236681.tif 000002
【特許請求の範囲】
【請求項１】
患者の患部を撮影する撮影手段と、
患者に取り付けられ、または、患者の近傍に配置された近距離無線送信手段によって送信される患者情報を受信可能な近距離無線受信手段と、
該近距離無線受信手段によって受信された患者情報と、撮影手段によって撮影された患部の画像情報とを関連付けて記録する記録手段とを備える医療用撮影装置。
【請求項２】
前記撮影手段が、撮影者により操作されるシャッタを備えるとともに、
前記近距離無線受信手段により患者情報が受信されていない場合に、前記シャッタの作動を制限するシャッタ制限手段を備える請求項１に記載の医療用撮影装置。
【請求項３】
前記撮影手段により撮影された画像とともに、前記近距離無線受信手段により受信された患者情報を表示する表示手段を備える請求項１または請求項２に記載の医療用撮影装置。
【発明の詳細な説明】
【０００１】
【発明の属する技術分野】
この発明は、医療用撮影装置に係り、特に、内視鏡システム、携帯型内視鏡および単体としての撮影装置に関するものである。
【０００２】
【従来の技術】
従来より、内視鏡のような医療用撮影装置においては、撮影された患者の患部の画像を、その患者のものであることを示す患者情報等の文字情報とともに記録しておくことが行われている（例えば、特許文献１参照。）。
また、撮影された画像をプリンタに出力して得られた印刷物を、その患者のカルテに貼り付けることにより、患者と患部の画像とを対応付ける作業は、一般に行われている。
【０００３】
【特許文献１】
特開２００２−１８６５８２号公報
【０００４】
【発明が解決しようとする課題】
しかしながら、従来の医療用撮影装置においては、画像とともに記録される患者情報は、キーボード等を用いて作業者により逐一入力されていた。このため、作業者は、患者情報を付されない状態の画像が他の画像と紛れてしまう前に、その画像に対して患者情報を記録する必要があった。また、各画像に対して、患者情報を逐一入力しなければならないという煩わしさがあった。
【０００５】
例えば、病棟内や在宅看護支援での使用に際しては、医療用撮影装置には携帯性が重要となるため、携帯型内視鏡やデジタルカメラのような形態可能な撮影装置が用いられる。しかし、患者の辱層や傷の経過観察には複数人の患者を一度の回診により記録する場合が多く、記録画像と患者との対応付けは、回診後に画像をコンピュータに取り込んで加工することにより行われるが、回診順序と各画像とは、手書きメモ等別個の方法によって対応付けておかなければならないという不都合がある。
【０００６】
何らかの原因で画像が他の画像と紛れてしまった場合には、患者情報との対応付けが著しく困難となり、実質的に撮影し直さなければならないことにもなる。さらに、画像が紛れてしまったことに気づかない場合には、患者の取り違えが発生するおそれあった。
画像と患者との対応付けを簡易に行うには、ポラロイドカメラが用いられるが、ランニングコストが高く、また電子カルテに対応できないこと、さらに辱層観察など患者の体位を変更できない場合には使用できない等の問題がある。
【０００７】
この発明は、上述した事情に鑑みてなされたものであって、患部の画像を特定するための患者情報との対応付けにおける人為的なミスの発生を未然に防止するとともに、作業者の負担を軽減し得る医療用撮影装置を提供することを目的としている。
【０００８】
【課題を解決するための手段】
上記目的を達成するために、この発明は、以下の手段を提供する。
請求項１に係る発明は、患者の患部を撮影する撮影手段と、患者に取り付けられ、または患者の近傍に配置された近距離無線送信手段によって送信される患者情報を受信可能な近距離無線受信手段と、該近距離無線受信手段によって受信された患者情報と、撮影手段によって撮影された患部の画像情報とを関連付けて記録する記録手段とを備える医療用撮影装置を提供する。
【０００９】
この発明によれば、撮影手段の作動により患者の患部を撮影する際に、近距離無線受信手段によって、患者に取り付けられた近距離無線送信手段から患者情報が受信される。そして、記録手段の作動により患者情報と画像情報とが関連付けて記録される。したがって、患者ＩＤ等の患者情報を発信する近距離無線送信手段を患者に取り付け、あるいは、患者の近傍に配置しておくだけで、画像撮影の際に、患者情報を手入力することなく自動的に画像と対応付けることが可能となる。
【００１０】
請求項２に係る発明は、請求項１に記載の医療用撮影装置において、前記撮影手段が、撮影者により操作されるシャッタを備えるとともに、前記近距離無線受信手段により患者情報が受信されていない場合に、前記シャッタの作動を制限するシャッタ制限手段を備える医療用撮影装置を提供する。
【００１１】
この発明によれば、撮影者が撮影手段に備えられたシャッタを操作することにより患部の撮影が行われる。この場合において、シャッタを操作する際に、近距離無線受信手段により患者情報が受信されていない場合には、シャッタ制限手段が作動させられる。これにより、シャッタの作動が制限され、患者情報を伴わない画像が記録されることが防止される。
【００１２】
請求項３に係る発明は、請求項１または請求項２に記載の医療用撮影装置において、前記撮影手段により撮影された画像とともに前記近距離無線受信手段により受信された患者情報を表示する表示手段を備える医療用撮影装置を提供する。
この発明によれば、表示手段の作動により、撮影された画像と受信された患者情報とが表示されるので、撮影者に対応関係を確認させることが可能となる。
【００１３】
【発明の実施の形態】
この発明の一実施形態に係る医療用撮影装置について、図面を参照して説明する。
本実施形態に係る医療用撮影装置１は、例えば、携帯型の内視鏡であって、図１に示されるように、画像信号を記録する画像処理装置２と、患者の体腔内に挿入される挿入部３と、該挿入部３の後端に設けられた操作部４とを備えている。
【００１４】
前記挿入部３は、最も先端に配置された先端部５と、その後方に接続された湾曲部６と、該湾曲部６と前記操作部４との間に配置された可撓部７とから構成されている。前記先端部５には、後述する光射出部８と、撮像素子９とが配置されている。前記湾曲部６は操作部４において遠隔的に操作されることにより、先端部５を所望の方向に指向させるように湾曲されるようになっている。前記可撓部７は、湾曲している体腔に合わせて撓み、体内の所望の撮像部位まで前記先端部５を容易に到達させることができるように構成されている。前記操作部４には、挿入部３の湾曲部６を所望の方向に湾曲させて、先端部５を任意の方向に向けるための操作ノブ１０が設けられている。
【００１５】
前記光射出部８は、例えば、挿入部３の全長にわたって配される光ファイバのようなライトガイド１１の先端部により構成され、前記操作部４に配置された光源１２から伝達された光を、挿入部３の先端部５から外部に放射するようになっている。前記撮像素子９は、例えば、ＣＣＤ素子であり、先端部５に設けられた観察窓（図示略）の内部に配置されている。観察窓には対物レンズ（図示略）が配置されており、撮像素子９は、該対物レンズの結像位置に配置されている。撮像素子９により採取された画像信号は、挿入部３の全長にわたって配されている、信号線１３を介して画像処理装置２に伝送されるようになっている。
【００１６】
前記画像処理装置２は、図２に示されるように、前記撮像素子９からの画像信号を受け取って記録する記録部１４と、撮像素子９から送られてきた画像信号を表示する表示部１５と、前記記録部１４に記録させるために操作者により操作されるシャッタ１６とを備えている。また、画像処理装置２には、外部から送られてくる患者ごとの識別情報を受信する受信部１７と、該受信部１７において受信された患者の識別情報を撮影された画像信号に重ね合わせる画像合成部１８とが備えられている。さらに、画像処理装置２には、前記受信部１７における受信状態を監視する受信監視部１９と、該受信監視部１９における監視の結果、患者の識別情報が受信されていない場合に前記シャッタ１６の作動を禁止するシャッタ制限部２０とが備えられている。
【００１７】
前記受信部１７は、所定範囲、例えば、半径１ｍ程度の範囲内から送信される無線信号を受信可能な近距離無線受信手段である。符号２１はアンテナを示している。
この受信部１７により受信される患者の識別情報は、例えば、各患者に取り付けられるリストバンド等に無線ＩＤチップ２２（近距離無線送信手段）を埋め込んでおくことにより発信される。この無線ＩＤチップ２２により発信される無線信号も、例えば、半径１ｍ程度の範囲内にしか到達しない信号である。
【００１８】
このように構成された本実施形態に係る医療用撮影装置１の作用について、以下に説明する。
本実施形態に係る医療用撮影装置１を用いて、患者の患部を撮影するには、撮影者は、光源１２と撮像素子９とを作動させた状態で、挿入部３を患者の体腔内に挿入し、先端部５において体腔内部の画像を取得する。取得された画像情報は、画像処理装置２に伝送され、該画像処理装置２に設けられた画像合成部１８を介して表示部１５に表示される。撮影者は、この表示部１５に表示された画像情報を見ながら、操作部４を操作する。
【００１９】
操作部４には、操作ノブ１０が設けられているので、該操作ノブ１０を操作することにより、湾曲部６を湾曲させて先端の光射出部８および撮像素子９を所望の方向に向ける。
このとき、画像処理装置２は、患者の体に十分に近い位置に配されているので、患者に取り付けられたリストバンドの無線ＩＤチップ２２から送信されている無線信号が、画像処理装置２に設けられた受信部１７により受信される。
【００２０】
受信部１７により受信された患者の識別情報および伝送された画像情報は、画像合成部１８において重ね合わせられて、表示部１５に同時に表示される。撮影者は、表示部１５に表示されている画像が所望の患部の画像であることおよび表示部に患者の識別情報が表示されていることを確認してシャッタ１６を押す。これにより、画像合成部１８により重ね合わせられた画像情報と識別情報とが記録部１４に記録される。したがって、撮影者が、撮影の際に患者情報をキーボードから入力する煩わしさを解消することができる。また、表示部１５に合成して表示された患者情報を確認できるので、画像の取り違えを防止することが可能となる。
【００２１】
さらに、本実施形態によれば、受信監視部１９およびシャッタ制限部２０が備えられているので、受信監視部１９において、常に受信部１７における受信状態が監視され、撮影者によりシャッタ１６が押される際に、患者の識別情報が受信されていない場合には、シャッタ１６の作動が制限される。すなわち、患者の識別情報の付されない画像が記録されることを防止して、画像と患者との対応付けをより確実に行うことが可能となる。
【００２２】
このように、本実施形態に係る医療用撮影装置１によれば、患者に取り付けられた無線ＩＤチップ２２から発信される患者の識別情報を受信して、患部の画像と合成するので、撮影者が患者の識別情報の入力作業の煩わしさから解放されるとともに、入力ミスや入力忘れ等の人為的なミスによる画像の取り違えを防止できる。
【００２３】
なお、本実施形態においては、患者の無線ＩＤチップ２２から送信される患者情報の受信状態を常時監視して、シャッタ１６の作動を制限することとしたが、これに代えて、または、これとともに、表示部１５に表示された患者情報を確認した旨の確認信号を入力することによりシャッタ１６の作動制限を解除することにしてもよい。また、画像合成部１８の作動により、画像情報と患者情報とを合成して記憶部１４に記憶することとしたが、これに代えて、これらの情報を対応付けた形で別々に記憶することにしてもよい。
【００２４】
また、撮影時における患者情報の受信状態が正常な場合に確認音を発生する確認音発生手段（図示略）を設け、シャッタ１６を押すことが可能な状態であることを撮影者に知らせるようにしてもよい。
さらに、受信部１７のアンテナ２１に指向性をもたせることにしてもよい。これにより、受信可能な範囲をさらに制限し、他の患者の無線ＩＤチップ２２等から発せられる信号を誤って受信することが防止される。この場合、医療用撮影装置１の使用環境に応じて、アンテナ２１の指向性と無指向性とを切り換えることにしてもよい。
【００２５】
また、上記実施形態においては、医療用撮影装置として、患者の体内に挿入する挿入部３を有する携帯型の内視鏡を例に挙げて説明したが、これに代えて、挿入部を有しないディジタルカメラのような医療用撮影装置に適用してもよい。また、携帯型以外の通常の内視鏡システムに適用してもよい。
また、患者の識別情報の発信源として各患者に取り付けられるリストバンド等に埋め込まれた無線ＩＤチップ２２を例に挙げて説明したが、これに限定されるものではなく、患者に取り付ける場合の他、患者の携行物、患者の寝ているベッドや患者データ記録用パソコン等、患者の近傍に配される任意のものに取り付けることにしてもよい。
【００２６】
【発明の効果】
以上説明したように、この発明に係る医療用撮影装置によれば、撮影を行う作業者が、撮影の際に患者の識別情報等を逐一入力する煩わしさを解消して、作業者の負担を軽減することができるとともに、患部の画像を特定するための患者情報との対応付けにおける人為的なミスの発生を未然に防止することができるという効果を奏する。
【図面の簡単な説明】
【図１】この発明の一実施形態に係る医療用撮影装置を概略的に示す図である。
【図２】図１の医療用撮影装置の画像処理装置を示すブロック図である。
【符号の説明】
１  医療用撮影装置
９  撮像素子（撮影手段）
１４  記録部（記録手段）
１５  表示部（表示手段）
１６  シャッタ
１７  受信部（近距離無線受信手段）
２０  シャッタ制限手段
２２  無線ＩＤチップ（近距離無線送信手段）
【図１】
2004236681.tif 000003
【図２】
2004236681.tif 000004